(57)【要約】【課題】ブッシングとケーブルとを接続する作業性を低下させることなく、容易に誤接続を防止できる接続装置を提供する。【解決手段】  複数相の架空電線に対応する複数の第１のケーブルが夫々接続される複数の第１のブッシングと、複数相の架空電線に対応する複数の第２のケーブルが夫々接続される複数の第２のブッシングと、を備え、第１及び第２のケーブルの同相同士を接続する接続装置において、複数の第１のブッシングは、夫々、複数の第１のケーブルの芯線が挿通される中心孔を有する異なる円錐台形状の突起を備え、複数の第１のケーブルは、夫々、複数の第１のブッシングの突起と嵌合する異なる円錐台形状の窪みを有するコネクタを備えた接続装置。【選択図】      図５
2012019630.tif 000002
【特許請求の範囲】
【請求項１】
複数相の架空電線に対応する複数の第１のケーブルが夫々接続される複数の第１のブッシングと、前記複数相の架空電線に対応する複数の第２のケーブルが夫々接続される複数の第２のブッシングと、を備え、前記第１及び第２のケーブルの同相同士を接続する接続装置において、
前記複数の第１のブッシングは、夫々、前記複数の第１のケーブルの芯線が挿通される中心孔を有する異なる円錐台形状の突起を備え、
前記複数の第１のケーブルは、夫々、前記複数の第１のブッシングの突起と嵌合する異なる円錐台形状の窪みを有するコネクタを備えたこと、
を特徴とする接続装置。
【請求項２】
前記複数の第２のブッシングは、夫々、前記複数の第２のケーブルの芯線が挿通される中心孔を有する異なる円錐台形状の突起を備え、
前記複数の第２のケーブルは、夫々、前記複数の第２のブッシングの突起と嵌合する異なる円錐台形状の窪みを有するコネクタを備えたこと、
を特徴とする請求項１に記載の接続装置。
【請求項３】
前記複数の第１及び第２のブッシングにおける前記突起は、夫々、円錐面の傾きが異なることを特徴とする請求項１又は２に記載の接続装置。
【請求項４】
前記複数の第１及び第２のブッシングにおける前記突起は、夫々、前記芯線の挿通方向に沿った長さが異なることを特徴とする請求項１乃至３の何れかに記載の接続装置。
【発明の詳細な説明】
【技術分野】
【０００１】
本発明は、接続装置に関する。
【背景技術】
【０００２】
架空電線の張替え工事において工事区間を遮断しても電力供給が停止されないように工事区間をバイパスする工事用開閉器等、複数相の架空電線の同相同士を接続する接続装置が知られている（例えば特許文献１を参照）。例えば、工事用開閉器は、複数相の架空電線に対応する複数のケーブル及びブッシングを備え、このケーブル及びブッシングを介して、工事区間を遮断するべく切断された架空電線の切断箇所の両側を接続する。例えば、工事用開閉器によって３相３線の架空電線を接続する場合、架空電線の切断箇所より上流側の３相及び下流側の３相に対して、夫々ケーブルの一端を電気的に接続する。そして、このケーブルの他端を夫々対応する相のブッシングに接続する。そして、工事用開閉器の内部において上流側のブッシングと、これに対応する相の下流側のブッシングとの導通又は遮断を切り替えることで、工事区間の導通又は遮断が切り替えられる。これらのブッシングは、例えば相ごとに異なる色で塗り分けられることによって、夫々対応する相が識別されていた。
【先行技術文献】
【特許文献】
【０００３】
【特許文献１】特開平８‐２５６４２９号公報
【発明の概要】
【発明が解決しようとする課題】
【０００４】
しかしながら、前述した工事用開閉器等の接続装置では、各相のブッシング及び各相のケーブルは夫々同じ形状を呈しており、異なる相同士のブッシングとケーブルであっても接続することが可能である。このため、異なる相同士のブッシングとケーブルを誤接続してしまうと接続装置が正常に動作しなくなる虞がある。
【０００５】
本発明はかかる課題に鑑みてなされたものであり、その目的とするところは、ブッシングとケーブルとを接続する作業性を低下させることなく、容易に誤接続を防止できる接続装置を提供することにある。
【課題を解決するための手段】
【０００６】
前記課題を解決するための発明は、複数相の架空電線に対応する複数の第１のケーブルが夫々接続される複数の第１のブッシングと、前記複数相の架空電線に対応する複数の第２のケーブルが夫々接続される複数の第２のブッシングと、を備え、前記第１及び第２のケーブルの同相同士を接続する接続装置において、前記複数の第１のブッシングは、夫々、前記複数の第１のケーブルの芯線が挿通される中心孔を有する異なる円錐台形状の突起を備え、前記複数の第１のケーブルは、夫々、前記複数の第１のブッシングの突起と嵌合する異なる円錐台形状の窪みを有するコネクタを備えた接続装置である。
【０００７】
本発明の他の特徴については、添付図面及び本明細書の記載により明らかとなる。
【発明の効果】
【０００８】
本発明によれば、ブッシングとケーブルとを接続する作業性を低下させることなく、容易に誤接続を防止できる接続装置を提供することができる。
【図面の簡単な説明】
【０００９】
【図１】架空電線の工事区間に対して設置された工事用開閉器の模式図である。
【図２】図１に示す工事用開閉器の斜視図である。
【図３】図１に示す工事用開閉器のその他の斜視図である。
【図４】図１に示す工事用開閉器のケーブルの斜視図である。
【図５】（Ａ）は図１に示す工事用開閉器の第１及び第２の実施形態にかかる赤相のブッシング及びケーブルの側面図であり、（Ｂ）は（Ａ）に示すブッシング及びケーブルの断面図である。
【図６】（Ａ）は図１に示す工事用開閉器の第１の実施形態にかかる白相のブッシング及びケーブルの側面図であり、（Ｂ）は（Ａ）に示すブッシング及びケーブルの断面図である。
【図７】（Ａ）は図１に示す工事用開閉器の第１の実施形態にかかる青相のブッシング及びケーブルの側面図であり、（Ｂ）は（Ａ）に示すブッシング及びケーブルの断面図である。
【図８】（Ａ）は図１に示す工事用開閉器の第２の実施形態にかかる白相のブッシング及びケーブルの側面図であり、（Ｂ）は（Ａ）に示すブッシング及びケーブルの断面図である。
【図９】（Ａ）は図１に示す工事用開閉器の第２の実施形態にかかる青相のブッシング及びケーブルの側面図であり、（Ｂ）は（Ａ）に示すブッシング及びケーブルの断面図である。
【図１０】（Ａ）は図１に示す工事用開閉器の第３の実施形態にかかる赤相のブッシング及びケーブルの側面図であり、（Ｂ）は（Ａ）に示すブッシング及びケーブルの断面図である。
【図１１】（Ａ）は図１に示す工事用開閉器の第３の実施形態にかかる白相のブッシング及びケーブルの側面図であり、（Ｂ）は（Ａ）に示すブッシング及びケーブルの断面図である。
【図１２】（Ａ）は図１に示す工事用開閉器の第３の実施形態にかかる青相のブッシング及びケーブルの側面図であり、（Ｂ）は（Ａ）に示すブッシング及びケーブルの断面図である。
【発明を実施するための形態】
【００１０】
本明細書及び添付図面の記載により、少なくとも以下の事項が明らかとなる。
【００１１】
===接続装置の構成について===
本実施形態にかかる接続装置は、架空電線の張替え工事等において工事区間の導通又は遮断を切り替える工事用開閉器である。以下、図１乃至図４を参照して、本実施形態にかかる工事用開閉器１００の構成について説明する。
【００１２】
工事用開閉器１００は、例えば３相３線の架空電線３０１ａ乃至３０１ｃに対して、工事区間をバイパスして導通又は遮断を切り替えるべく取り付けられる。具体的には、工事用開閉器１００は、例えば架空電線３０１ｃの図１において矢印Ｂで示される箇所（以下損傷箇所と称する）に損傷が生じ、新しい架空電線に張替える必要がある場合に、この損傷箇所を挟んで隣接する一対の電柱３００の側面に夫々取り付けられる。尚、一対の工事用開閉器１００は夫々、不図示のチェーンを電柱３００に巻回して、締め付け金具を締め付けること等によって電柱３００に固定される。
【００１３】
図２及び図３に示すように、工事用開閉器１００は、直方体状の開閉器ケース１０３を備えている。開閉器ケース１０３の互いに対向する両側壁のうち一方の側壁１０３Ｂに、接続ブッシング１０１ａ、１０１ｂ、１０１ｃ（第１のブッシング）及びバイパスブッシング１０４ａ、１０４ｂ、１０４ｃ（第１のブッシング）を備えている。また、開閉器ケース１０３の他方の側壁１０３Ａに、接続ブッシング１０２ａ、１０２ｂ、１０２ｃ（第２のブッシング）を備えている。接続ブッシング１０１ａ乃至１０１ｃに対して夫々接続ケーブル２０１ａ、２０１ｂ、２０１ｃ（第１のケーブル）が接続され、バイパスブッシング１０４ａ乃至１０４ｃに対して夫々バイパスケーブル２０３ａ、２０３ｂ、２０３ｃ（第１のケーブル）が接続される。接続ブッシング１０２ａ乃至１０２ｃに対して夫々接続ケーブル２０２ａ、２０２ｂ、２０２ｃ（第２のケーブル）が接続される。また、工事用開閉器１００は、開閉器ケース１０３の内部に、不図示の切替機構を備えている。
【００１４】
尚、接続ブッシング１０１ａ、１０２ａ、バイパスブッシング１０４ａ、接続ケーブル２０１ａ、２０２ａ、バイパスケーブル２０３ａは、架空電線３０１ａの相（赤相）に対応している。接続ブッシング１０１ｂ、１０２ｂ、バイパスブッシング１０４ｂ、接続ケーブル２０１ｂ、２０２ｂ、バイパスケーブル２０３ｂは、架空電線３０１ｂの相（白相）に対応している。接続ブッシング１０１ｃ、１０２ｃ、バイパスブッシング１０４ｃ、接続ケーブル２０１ｃ、２０２ｃ、バイパスケーブル２０３ｃは、架空電線３０１ｃの相（青相）に対応している。
【００１５】
また、以下の説明では、接続ブッシング１０１ａ乃至１０１ｃ、１０２ａ乃至１０２ｃ及びバイパスブッシング１０４ａ乃至１０４ｃを総称してブッシングとする。また、接続ケーブル２０１ａ乃至２０１ｃ、２０２ａ乃至２０２ｃ及びバイパスケーブル２０３ａ乃至２０３ｃを総称してケーブルとする。
【００１６】
接続ケーブル２０１ａ乃至２０１ｃは夫々、損傷箇所を挟んで隣接する一対の電柱３００の損傷箇所側において、同相の架空電線３０１ａ乃至３０１ｃに一端が電気的に接続されている。例えば、接続ケーブル２０１ａの一端は、架空電線３０１ａの被覆が剥がされた部分に対して、不図示の接続端子によって接続される。この接続端子は、架空電線３０１ａの被覆が剥がされた部分に例えばボルト締め等によって固定され、架空電線３０１ａと接続ケーブル２０１ａとを電気的に接続する。同様に接続ケーブル２０１ｂ、２０１ｃの一端についても夫々接続端子を介して同相の架空電線３０１ｂ、３０１ｃに接続される。
【００１７】
また、接続ケーブル２０１ａの他端には、コネクタ２１０ａが一体に取り付けられている。接続ケーブル２０１ａは、このコネクタ２１０ａを介して、接続ブッシング１０１ａに接続される。同様に接続ケーブル２０１ｂ、２０１ｃの他端についても夫々コネクタ２１０ｂ、２１０ｃを介して同相の接続ブッシング１０１ｂ、１０１ｃに接続される。
【００１８】
バイパスケーブル２０３ａ乃至２０３ｃは一対の工事用開閉器１００同士を接続している。例えばバイパスケーブル２０３ａは、両端に夫々コネクタが一体に取り付けられており、このコネクタを介して、一対の工事用開閉器１００のバイパスブッシング１０４ａに夫々接続される。同様にバイパスケーブル２０３ｂ、２０３ｃの両端についても夫々コネクタを介して同相のバイパスブッシング１０４ｂ、１０４ｃに接続される。
【００１９】
接続ケーブル２０２ａ乃至２０２ｃは夫々、損傷箇所を挟んで隣接する一対の電柱３００の損傷箇所と反対側において、同相の架空電線３０１ａ乃至３０１ｃに接続ケーブル２０１ａ乃至２０１ｃと同様に一端が電気的に接続されている。また、接続ケーブル２０２ａの他端には、コネクタが一体に取り付けられている。接続ケーブル２０２ａは、このコネクタを介して、接続ブッシング１０２ａに接続される。同様に接続ケーブル２０２ｂ、２０２ｃの他端についても夫々コネクタを介して同相の接続ブッシング１０２ｂ、１０２ｃに接続される。
【００２０】
切替機構は、接続ブッシング１０２ａ乃至１０２ｃ夫々に対して、同相の接続ブッシング１０１ａ乃至１０１ｃか、同相のバイパスブッシング１０４ａ乃至１０４ｃの何れか一方又は両方を選択的に接続する。例えば赤相については、切替機構は、接続ブッシング１０２ａと、接続ブッシング１０１ａ及びバイパスブッシング１０４ａの何れか一方又は両方とを選択的に接続する。
【００２１】
よって、例えば図１に示す架空電線３０１ｃの損傷箇所を新しい架空電線に張替える工事を行う場合、先ず、切替機構によってブッシング同士を接続しない状態で、前述したように接続ケーブル２０１ａ乃至２０１ｃ、２０２ａ乃至２０２ｃを夫々、架空電線３０１ａ乃至３０１ｃ及び接続ブッシング１０１ａ乃至１０１ｃ、１０２ａ乃至１０２ｃに接続する。また、バイパスケーブル２０３ａ乃至２０３ｃ夫々を、バイパスブッシング１０４ａ乃至１０４ｃに接続する。
【００２２】
そして、切替機構によって、接続ブッシング１０１ａ乃至１０１ｃ夫々と、接続ブッシング１０２ａ乃至１０２ｃとを接続する。この状態で、架空電線３０１ａの接続ケーブル２０１ａの一端と接続ケーブル２０２ａの一端とが接続されている間の部分であって、電柱３００付近の箇所（図１において矢印Ａで示される箇所（以下切断箇所と称する））及び、架空電線３０１ｂ、３０１ｃ夫々の切断箇所を切断する。尚、架空電線３０１ａ乃至３０１ｃの損傷箇所を挟んだ切断箇所同士の間が工事区間となる。
【００２３】
これによって、架空電線３０１ａ乃至３０１ｃの工事区間の上流側からの電流は夫々、接続ケーブル２０２ａ乃至２０２ｃ、接続ブッシング１０１ａ乃至１０１ｃ、１０２ａ乃至１０２ｃ、接続ケーブル２０１ａ乃至２０１ｃを介して切断箇所の下流側へ流れる。
【００２４】
次に、切替機構によって、接続ブッシング１０１ａ乃至１０１ｃ夫々を、バイパスブッシング１０４ａ乃至１０４ｃにも接続する。これによって、架空電線３０１ａ乃至３０１ｃの工事区間の上流側からの電流は、更にバイパスケーブル２０３ａ乃至２０３ｃを介しても工事区間の下流側へ流れる。この状態で、切替機構によって、接続ブッシング１０１ａ乃至１０１ｃ夫々と、接続ブッシング１０２ａ乃至１０２ｃを遮断する。これによって、架空電線３０１ａ乃至３０１ｃの工事区間より上流側からの電流を工事区間よりも下流側へ流しつつ、工事区間を遮断して架空電線３０１ｃの張替え工事を行うことができる。
【００２５】
===ケーブルとブッシングとの接続について===
<<<第１の実施形態>>>
先ず、図５（Ａ）、（Ｂ）を参照して、第１の実施形態にかかる接続ブッシング１０１ａと接続ケーブル２０１ａとの接続部分の構成について説明する。接続ケーブル２０１ａは、接続ケーブル２０１ａと接続ブッシング１０１ａとを電気的に接続するため、コネクタ２１０ａと、芯線２１４ａとを有している。
【００２６】
芯線２１４ａは、金属等の導電性部材からなり、接続ケーブル２０１ａの長手方向と直交する方向の略中央に、長手方向に沿って配置されている。芯線２１４ａに電流が流れることで、接続ケーブル２０１ａが導通する。
【００２７】
コネクタ２１０ａは、例えば接続ケーブル２０１ａの直径よりも長い直径の円筒形状を呈し、窪み２１１ａと、挿入溝２１２ａとを有している。窪み２１１ａは、コネクタ２１０ａの接続ケーブル２０１ａの長手方向と直交する方向の中央に形成され、後述する接続ブッシング１０１ａの突起１１１ａと嵌合する円錐台形状を呈している。また、窪み２１１ａの内部では、接続ケーブル２０１ａ内から芯線２１４ａが突出している。
【００２８】
挿入溝２１２ａは、コネクタ２１０ａの窪み２１１ａよりも外周側に設けられ、後述する接続ブッシング１０１ａの挿入環状片１１０ａと嵌合する環形状を呈している。
【００２９】
接続ブッシング１０１ａは、開閉器ケース１０３の側壁１０３Ｂから突出するように設けられ、挿入環状片１１０ａと、突起１１１ａと、導電棒１１２ａと、中心孔１１３ａと、ソケット１１４ａとを備えている。
【００３０】
挿入環状片１１０ａは、側壁１０３Ｂから突出し、接続ケーブル２０１ａのコネクタ２１０ａに形成された挿入溝２１２ａと嵌合する環形状を呈している。つまり、挿入環状片１１０ａ及び挿入溝２１２ａは雌雄の関係になっている。
【００３１】
突起１１１ａは、側壁１０３Ｂから突出し、突起１１１ａの外周面と窪み２１１ａの内周面とが対向するように嵌合する中空の円錐台形状を呈している。つまり、突起１１１ａ及び窪み２１１ａは雌雄の関係になっている。
【００３２】
中心孔１１３ａは、突起１１１ａの内部に設けられており、中心孔１１３ａの内部にはソケット１１４ａが取り付けられている。ソケット１１４ａは、突起１１１ａと窪み２１１ａとが嵌合した際に、芯線２１４ａが挿入される。また、ソケット１１４ａは、内部に芯線２１４ａが挿入された際に、この芯線２１４ａと接触する位置まで、開閉器ケース１０３の内部から側壁１０３Ｂを介して延在する導電棒１１２ａの一端側が挿入されている。導電棒１１２ａは、金属等の導電性部材からなり、棒形状を呈している。導電棒１１２ａの他端側は切替機構に電気的に接続されている。
【００３３】
これによって、挿入環状片１１０ａと挿入溝２１２ａ、突起１１１ａと窪み２１１ａを夫々嵌合して、コネクタ２１０ａを介して接続ブッシング１０１ａに接続ケーブル２０１ａを接続することで、芯線２１４ａと導電棒１１２ａが接触する。このため、導電棒１１２ａを介して接続ケーブル２０１ａが切替機構と電気的に接続される。つまり、例えば、切替機構が接続ブッシング１０１ａ及び接続ブッシング１０２ａを選択的に接続することで、これらのブッシングに接続された接続ケーブル２０１ａ及び接続ケーブル２０２ａも選択的に接続される。
【００３４】
次に、図６（Ａ）、（Ｂ）を参照して、第１の実施形態にかかる接続ブッシング１０１ｂと接続ケーブル２０１ｂとの接続部分の構成について説明する。尚、接続ブッシング１０１ｂ及び接続ケーブル２０１ｂとの接続部分の構成のうち、前述した接続ブッシング１０１ａ及び接続ケーブル２０１ａの接続部分の構成と異なる構成について主に説明する。
【００３５】
接続ケーブル２０１ｂは、前述した接続ケーブル２０１ａと同様に、コネクタ２１０ｂと、芯線２１４ｂとを有している。コネクタ２１０ｂは、前述したコネクタ２１０ａと同様に、窪み２１１ｂと、挿入溝２１２ｂとを有している。窪み２１１ｂは、前述した窪み２１１ａと円錐面の傾きが異なり、後述する接続ブッシング１０１ｂの突起１１１ｂと嵌合する円錐台形状を呈している。例えば、窪み２１１ｂは、芯線２１４ｂの突出方向に対する円錐面の傾きが、窪み２１１ａにおける芯線２１４ａの突出方向に対する円錐面の傾きよりも緩やかになっている。つまり、芯線２１４ｂが突出する方向（突出方向）と直交する方向に沿って窪み２１１ｂを切断した断面の直径は、突出方向の接続ケーブル２０１ｂ側に向かうに連れて、窪み２１１ａの同断面の直径よりも小さい割合で短くなっている。
【００３６】
接続ブッシング１０１ｂは、前述した接続ブッシング１０１ａと同様に、挿入環状片１１０ｂと、突起１１１ｂと、導電棒１１２ｂと、中心孔１１３ｂと、ソケット１１４ｂとを備えている。突起１１１ｂは、前述した突起１１１ａと円錐面の傾きが異なり、突起１１１ｂの外周面と窪み２１１ｂの内周面とが対向するように嵌合する中空の円錐台形状を呈している。例えば、突起１１１ｂは、中心孔１１３ｂ長手方向に対する円錐面の傾きが、突起１１１ａにおける中心孔１１３ａの長手方向に対する円錐面の傾きよりも緩やかになっている。つまり、中心孔１１３ｂの長手方向と直交する方向に沿って突起１１１ｂを切断した断面の直径は、中心孔１１３ｂの長手方向の壁面１０３Ｂ側に向かうに連れて、突起１１１ａの同断面の直径よりも小さい割合で長くなっている。
【００３７】
次に、図７（Ａ）、（Ｂ）を参照して、第１の実施形態にかかる接続ブッシング１０１ｃと接続ケーブル２０１ｃとの接続部分の構成について説明する。尚、接続ブッシング１０１ｃ及び接続ケーブル２０１ｃとの接続部分の構成のうち、前述した接続ブッシング１０１ａ及び接続ケーブル２０１ａの接続部分の構成と異なる構成について主に説明する。
【００３８】
接続ケーブル２０１ｃは、前述した接続ケーブル２０１ａと同様に、コネクタ２１０ｃと、芯線２１４ｃとを有している。コネクタ２１０ｃは、前述したコネクタ２１０ａと同様に、窪み２１１ｃと、挿入溝２１２ｃとを有している。窪み２１１ｃは、前述した窪み２１１ａ、２１１ｂと円錐面の傾きが異なり、後述する接続ブッシング１０１ｃの突起１１１ｃと嵌合する円錐台形状を呈している。例えば、窪み２１１ｃは、円錐面の芯線２１４ｃに沿った方向に対する傾きが、窪み２１１ａにおける円錐面の芯線２１４ａに沿った方向に対する傾きよりも急になっている。つまり、芯線２１４ｃが突出する方向（突出方向）と直交する方向に沿って窪み２１１ｃを切断した断面の直径は、突出方向の接続ケーブル２０１ｃ側に向かうに連れて、窪み２１１ａの同断面の直径よりも大きい割合で短くなっている。
【００３９】
接続ブッシング１０１ｃは、前述した接続ブッシング１０１ａと同様に、挿入環状片１１０ｃと、突起１１１ｃと、導電棒１１２ｃと、中心孔１１３ｃと、ソケット１１４ｃとを備えている。突起１１１ｃは、前述した突起１１１ａ、１１１ｂと円錐面の傾きが異なり、突起１１１ｃの外周面と窪み２１１ｃの内周面とが対向するように嵌合する中空の円錐台形状を呈している。例えば、突起１１１ｃは、円錐面の中心孔１１３ｃに沿った方向に対する傾きが、突起１１１ａにおける円錐面の中心孔１１３ａに沿った方向に対する傾きよりも急になっている。つまり、中心孔１１３ｃの長手方向と直交する方向に沿って突起１１１ｃを切断した断面の直径は、中心孔１１３ｃの長手方向の壁面１０３Ｂ側に向かうに連れて、突起１１１ａの同断面の直径よりも大きい割合で長くなっている。
【００４０】
以上より、第１の実施形態にかかる接続ブッシング１０１ａ乃至１０１ｃは夫々異なる円錐面の傾きを有する円錐台形状の突起１１１ａ乃至１１１ｃを備えている。また、接続ケーブル２０１ａ乃至２０１ｃのコネクタ２１０ａ乃至２１０ｃは夫々同相の突起１１１ａ乃至１１１ｃと嵌合するような円錐面の傾きを有する円錐台形状の窪み２１１ａ乃至２１１ｃを有している。例えば、突起１１１ｂを窪み２１１ｃに挿入して嵌合させることはできない。
【００４１】
このため、接続ブッシングに対して異なる相の接続ケーブルが接続された状態では、接続ブッシング１０１ａ乃至１０１ｃ及び接続ケーブル２０１ａ乃至２０１ｃの３相全てを互いに接続することが不可能となっている。更に、突起１１１ａ乃至１１１ｃは夫々、側壁１０３Ｂ側よりも突出した先端側の直径の方が短い円錐台形状を呈している。このため、突起１１１ａ乃至１１１ｃを窪み２１１ａ乃至２１１ｃに夫々挿入して、接続ブッシング１０１ａ乃至１０１ｃと接続ケーブル２０１ａ乃至２０１ｃとを夫々接続する作業を容易にできる。これは、接続ブッシング１０２ａ乃至１０２ｃと接続ケーブル２０２ａ乃至２０２ｃの接続部分及びバイパスブッシング１０４ａ乃至１０４ｃとバイパスケーブル２０３ａ乃至２０３ｃの接続部分における構成（不図示）についても同様である。
【００４２】
つまり、工事用開閉器１００では、ブッシングとケーブルとを接続する作業性を低下させることなく、異なる相同士のブッシング及びケーブルが誤接続されることを容易に防止できる。ブッシング及びケーブルが誤接続されたまま、切替機構によってブッシング同士が接続されることを防止できるため、例えば工事区間の上流側と下流側とで異なる相同士の架空電線３０１ａ乃至３０１ｃが接続されることを防止できる。よって、工事用開閉器１００では、張替え工事等の間に工事区間を遮断しても、停電等の事故が生じることをより確実に防止できる。
【００４３】
<<<第２の実施形態>>>
図５（Ａ）、（Ｂ）と、図８（Ａ）、（Ｂ）と、図９（Ａ）、（Ｂ）とを参照して、第２の実施形態にかかる工事用開閉器１００Ａの接続ブッシング１０１ａ、１０１Ａｂ、１０１Ａｃと接続ケーブル２０１ａ、２０１Ａｂ、２０１Ａｃとの接続部分の構成について説明する。尚、図８（Ａ）、（Ｂ）及び図９（Ａ）、（Ｂ）において、図１乃至図７（Ａ）、（Ｂ）に示す構成と同一の構成については、同一の符号を付してその説明を省略する。
【００４４】
工事用開閉器１００Ａは、前述した工事用開閉器１００の接続ブッシング１０１ｂ、１０１ｃにかえて接続ブッシング１０１Ａｂ、１０１Ａｃを備え、接続ケーブル２０１ｂ、２０１ｃにかえて接続ケーブル２０１Ａｂ、２０１Ａｃを備えている。
【００４５】
図８（Ａ）、（Ｂ）に示すように、接続ケーブル２０１Ａｂは、前述した接続ケーブル２０１ｂのコネクタ２１０ｂにかえてコネクタ２１０Ａｂを備えている。コネクタ２１０Ａｂは、前述したコネクタ２１０ｂの窪み２１１ｂにかえて窪み２１１Ａｂを有している。窪み２１１Ａｂは、コネクタ２１０Ａｂの接続ケーブル２０１Ａｂの長手方向と直交する方向の中央に形成されている。また、窪み２１１Ａｂは、例えば芯線２１４ｂに沿った方向の長さが、窪み２１１ｂの芯線２１４ｂに沿った方向の長さよりも短く、後述する接続ブッシング１０１Ａｂの突起１１１Ａｂと嵌合する円錐台形状を呈している。
【００４６】
接続ブッシング１０１Ａｂは、前述した接続ブッシング１０１ｂの突起１１１ｂにかえて突起１１１Ａｂを備えている。突起１１１Ａｂは、例えば中心孔１１３ｂへの芯線２１４ｂの挿通方向に沿った長さが、突起１１１ｂよりも短く、突起１１１Ａｂの外周面と窪み２１１Ａｂの内周面とが対向するように嵌合する中空の円錐台形状を呈している。つまり、突起１１１Ａｂ及び窪み２１１Ａｂは雌雄の関係になっている。
【００４７】
図９（Ａ）、（Ｂ）に示すように、接続ケーブル２０１Ａｃは、前述した接続ケーブル２０１ｃのコネクタ２１０ｃにかえてコネクタ２１０Ａｃを備えている。コネクタ２１０Ａｃは、前述したコネクタ２１０ｃの窪み２１１ｃにかえて窪み２１１Ａｃを有している。窪み２１１Ａｃは、コネクタ２１０Ａｃの接続ケーブル２０１Ａｃの長手方向と直交する方向の中央に形成されている。また、窪み２１１Ａｃは、例えば芯線２１４ｃに沿った方向の長さが、窪み２１１ｃの芯線２１４ｃに沿った方向の長さよりも長く、後述する接続ブッシング１０１Ａｃの突起１１１Ａｃと嵌合する円錐台形状を呈している。
【００４８】
接続ブッシング１０１Ａｃは、前述した接続ブッシング１０１ｃの突起１１１ｃにかえて突起１１１Ａｃを備えている。突起１１１Ａｃは、例えば中心孔１１３ｃへの芯線２１４ｃの挿通方向に沿った長さが、突起１１１ｃよりも長く、突起１１１Ａｃの外周面と窪み２１１Ａｃの内周面とが対向するように嵌合する中空の円錐台形状を呈している。つまり、突起１１１Ａｃ及び窪み２１１Ａｃは雌雄の関係になっている。
【００４９】
以上より、第２の実施形態にかかる接続ブッシング１０１ａ乃至１０１Ａｃは、夫々異なる円錐面の傾きを有すると共に、芯線２１４ａ乃至２１４ｃの挿通方向に沿った長さが異なる円錐台形状の突起１１１ａ乃至１１１Ａｃを備えている。また、接続ケーブル２０１ａ乃至２０１Ａｃは夫々同相の突起１１１ａ乃至１１１Ａｃと嵌合するような円錐面の傾き及び芯線２１４ａ乃至２１４ｂの挿通方向に沿った長さが異なる円錐台形状の窪み２１１ａ乃至２１１Ａｃを備えている。このため、接続ブッシング１０１Ａａ乃至１０１Ａｃに対して異なる相の接続ケーブル２０１Ａａ乃至２０１Ａｃを接続することが不可能となっている。更に、突起１１１ａ乃至１１１Ａｃは夫々、側壁１０３Ｂ側よりも突出した先端側の直径の方が短い円錐台形状を呈している。このため、突起１１１ａ乃至１１１Ａｃを窪み２１１ａ乃至２１１Ａｃに夫々挿入して、接続ブッシング１０１ａ乃至１０１Ａｃと接続ケーブル２０１ａ乃至２０１Ａｃとを夫々接続する作業を容易にできる。
【００５０】
これは、第２の実施形態にかかる工事用開閉器１００Ａの接続ブッシング１０２ａ乃至１０２ｃと接続ケーブル２０２ａ乃至２０２ｃとの接続部分及びバイパスブッシング１０４ａ乃至１０４ｃとバイパスケーブル２０３ａ乃至２０３ｃとの接続部分における構成（不図示）についても同様である。つまり、工事用開閉器１００Ａでは、ブッシングとケーブルとを接続する作業性を低下させることなく、異なる相同士のブッシング及びケーブルが誤接続されることをより容易に防止できる。
【００５１】
<<<第３の実施形態>>>
図１０（Ａ）、（Ｂ）乃至図１２（Ａ）、（Ｂ）を参照して、第３の実施形態にかかる工事用開閉器１００Ｂの接続ブッシング１０１Ｂａ、１０１Ｂｂ、１０１Ｂｃ及び接続ケーブル２０１Ｂａ、２０１Ｂｂ、２０１Ｂｃとの接続部分の構成について説明する。尚、図１０（Ａ）、（Ｂ）乃至図１２（Ａ）、（Ｂ）において、図１乃至図９（Ａ）、（Ｂ）に示す構成と同一の構成については、同一の符号を付してその説明を省略する。
【００５２】
工事用開閉器１００Ｂは、前述した工事用開閉器１００の接続ブッシング１０１ａ乃至１０１ｃにかえて接続ブッシング１０１Ｂａ乃至１０１Ｂｃを備え、接続ケーブル２０１ａ乃至２０１ｃにかえて接続ケーブル２０１Ｂａ乃至２０１Ｂｃを備えている。
【００５３】
図１０（Ａ）、（Ｂ）に示すように、接続ケーブル２０１Ｂａは、前述した接続ケーブル２０１ａのコネクタ２１０ａにかえてコネクタ２１０Ｂａを備えている。コネクタ２１０Ｂａは、前述したコネクタ２１０ａの窪み２１１ａにかえて窪み２１１Ｂａを有している。窪み２１１Ｂａは、前述した窪み２１１ａに更に段２１５ａを備え、後述する接続ブッシング１０１Ｂａの突起１１１Ｂａと嵌合する円錐台形状を呈している。
【００５４】
段２１５ａは、窪み２１１Ｂａの円錐台形状において、芯線２１４ａの突出方向（突出方向）に沿って略中心となる内周面に突出方向と直交する方向に沿って形成されている。この段２１５ａによって、窪み２１１Ｂａは、突出方向に沿って連続する２つの円錐台形状２１３ａＡ、２１３ａＢとなっている。この２つの円錐台形状２１３ａＡ、２１３ａＢでは、接続ケーブル２０１Ｂａ側の一方の円錐台形状２１３ａＡを突出方向と直交する方向に沿って切断した断面（断面）の直径は、他方の円錐台形状２１３ａＢの断面の直径よりも短くなっている。また、２つの円錐台形状２１３ａＡ、２１３ａＢは共、に断面の直径が接続ケーブル２０１Ｂａ側に向かうに連れて短くなっている。つまり、段２１５ａは、円錐台形状２１３ａＡの断面の最も長くなっている直径と、円錐台形状２１３ａＢの断面の最も短くなっている直径との境目に形成されている。
【００５５】
接続ブッシング１０１Ｂａは、前述した接続ブッシング１０１ａの突起１１１ａにかえて突起１１１Ｂａを備えている。突起１１１Ｂａは、前述した突起１１１ａに更に段１１５ａを備え、突起１１１Ｂａの外周面と窪み２１１Ｂａの内周面とが対向するように嵌合する中空の円錐台形状を呈している。
【００５６】
段１１５ａは、突起１１１Ｂａの円錐台形状において、中心孔１１３ａの長手方向（長手方向）に沿って略中心となる外周面に長手方向と直交する方向に沿って形成されている。この段１１５ａによって、突起１１１Ｂａは、長手方向に沿って連続する２つの円錐台形状１１６ａＡ、１１６ａＢとなっている。この２つの円錐台形状１１６ａＡ、１１６ａＢでは、側壁１０３Ｂ側の一方の円錐台形状１１６ａＢを長手方向と直交する方向に沿って切断した断面（断面）の直径は、他方の円錐台形状１１６ａＡの断面の直径よりも長くなっている。また、２つの円錐台形状１１６ａＡ、１１６ａＢは共に断面の直径が側壁１０３Ｂ側に向かうに連れて長くなっている。つまり、段１１５ａは、円錐台形状１１６ａＢの断面の最も短くなっている直径と、円錐台形状１１６ａＡの断面の最も長くなっている直径との境目に形成されている。
【００５７】
図１１（Ａ）、（Ｂ）に示すように、接続ケーブル２０１Ｂｂは、前述した接続ケーブル２０１ｂのコネクタ２１０ｂにかえてコネクタ２１０Ｂｂを備えている。コネクタ２１０Ｂｂは、前述したコネクタ２１０ｂの窪み２１１ｂにかえて窪み２１１Ｂｂを有している。窪み２１１Ｂｂは、前述した窪み２１１ｂに更に段２１５ｂを備え、後述する接続ブッシング１０１Ｂｂの突起１１１Ｂｂと嵌合する円錐台形状を呈している。
【００５８】
段２１５ｂは、窪み２１１Ｂｂの円錐台形状において、芯線２１４ｂの突出方向（突出方向）に沿った略中心よりも接続ケーブル２０１Ｂｂ側の内周面に突出方向と直交する方向に沿って形成されている。この段２１５ｂによって、窪み２１１Ｂｂは、突出方向に沿って連続する２つの円錐台形状２１３ｂＡ、２１３ｂＢとなっている。この２つの円錐台形状２１３ｂＡ、２１３ｂＢでは、接続ケーブル２０１Ｂｂ側の一方の円錐台形状２１３ｂＡを突出方向と直交する方向に沿って切断した断面（断面）の直径は、他方の円錐台形状２１３ｂＢの断面の直径よりも短くなっている。また、２つの円錐台形状２１３ｂＡ、２１３ｂＢは共、に断面の直径が接続ケーブル２０１Ｂｂ側に向かうに連れて短くなっている。つまり、段２１５ｂは、円錐台形状２１３ｂＡの断面の最も長くなっている直径と、円錐台形状２１３ｂＢの断面の最も短くなっている直径との境目に形成されている。
【００５９】
接続ブッシング１０１Ｂｂは、前述した接続ブッシング１０１ｂの突起１１１ｂにかえて突起１１１Ｂｂを備えている。突起１１１Ｂｂは、前述した突起１１１ｂに更に段１１５ｂを備え、突起１１１Ｂｂの外周面と窪み２１１Ｂｂの内周面とが対向するように嵌合する中空の円錐台形状を呈している。
【００６０】
段１１５ｂは、突起１１１Ｂｂの円錐台形状において、中心孔１１３ｂの長手方向（長手方向）に沿った略中心よりも側壁１０３Ｂと反対側の外周面に長手方向と直交する方向に沿って形成されている。この段１１５ｂによって、突起１１１Ｂｂは、長手方向に沿って連続する２つの円錐台形状１１６ｂＡ、１１６ｂＢとなっている。この２つの円錐台形状１１６ｂＡ、１１６ｂＢでは、側壁１０３Ｂ側の一方の円錐台形状１１６ｂＢを長手方向と直交する方向に沿って切断した断面（断面）の直径は、他方の円錐台形状１１６ｂＡの断面の直径よりも長くなっている。また、２つの円錐台形状１１６ｂＡ、１１６ｂＢは共に断面の直径が側壁１０３Ｂ側に向かうに連れて長くなっている。つまり、段１１５ｂは、円錐台形状１１６ｂＢの断面の最も短くなっている直径と、円錐台形状１１６ｂＡの断面の最も長くなっている直径との境目に形成されている。
【００６１】
図１２（Ａ）、（Ｂ）に示すように、接続ケーブル２０１Ｂｃは、前述した接続ケーブル２０１ｃのコネクタ２１０ｃにかえてコネクタ２１０Ｂｃを備えている。コネクタ２１０Ｂｃは、前述したコネクタ２１０ｃの窪み２１１ｃにかえて窪み２１１Ｂｃを有している。窪み２１１Ｂｃは、前述した窪み２１１ｃに更に段２１５ｃを備え、後述する接続ブッシング１０１Ｂｃの突起１１１Ｂｃと嵌合する円錐台形状を呈している。
【００６２】
段２１５ｃは、窪み２１１Ｂｃの円錐台形状において、芯線２１４ｃの突出方向（突出方向）に沿った略中心よりも接続ケーブル２０１Ｂｃと反対側の内周面に突出方向と直交する方向に沿って形成されている。この段２１５ｃによって、窪み２１１Ｂｃは、突出方向に沿って連続する２つの円錐台形状２１３ｃＡ、２１３ｃＢとなっている。この２つの円錐台形状２１３ｃＡ、２１３ｃＢでは、接続ケーブル２０１Ｂｃ側の一方の円錐台形状２１３ｃＡを突出方向と直交する方向に沿って切断した断面（断面）の直径は、他方の円錐台形状２１３ｃＢの断面の直径よりも短くなっている。また、２つの円錐台形状２１３ｃＡ、２１３ｃＢは共、に断面の直径が接続ケーブル２０１Ｂｃ側に向かうに連れて短くなっている。つまり、段２１５ｃは、円錐台形状２１３ｃＡの断面の最も長くなっている直径と、円錐台形状２１３ｃＢの断面の最も短くなっている直径との境目に形成されている。
【００６３】
接続ブッシング１０１Ｂｃは、前述した接続ブッシング１０１ｃの突起１１１ｃにかえて突起１１１Ｂｃを備えている。突起１１１Ｂｃは、前述した突起１１１ｃに更に段１１５ｃを備え、突起１１１Ｂｃの外周面と窪み２１１Ｂｃの内周面とが対向するように嵌合する中空の円錐台形状を呈している。
【００６４】
段１１５ｃは、突起１１１Ｂｃの円錐台形状において、中心孔１１３ｃの長手方向（長手方向）に沿った略中心よりも側壁１０３Ｂ側の外周面に長手方向と直交する方向に沿って形成されている。この段１１５ｃによって、突起１１１Ｂｃは、長手方向に沿って連続する２つの円錐台形状１１６ｃＡ、１１６ｃＢとなっている。この２つの円錐台形状１１６ｃＡ、１１６ｃＢでは、側壁１０３Ｂ側の一方の円錐台形状１１６ｃＢを長手方向と直交する方向に沿って切断した断面（断面）の直径は、他方の円錐台形状１１６ｃＡの断面の直径よりも長くなっている。また、２つの円錐台形状１１６ｃＡ、１１６ｃＢは共に断面の直径が側壁１０３Ｂ側に向かうに連れて長くなっている。つまり、段１１５ｃは、円錐台形状１１６ｃＢの断面の最も短くなっている直径と、円錐台形状１１６ｃＡの断面の最も長くなっている直径との境目に形成されている。
【００６５】
以上より、第３の実施形態にかかる接続ブッシング１０１Ｂａ乃至１０１Ｂｃは夫々異なる円錐面の傾きを有すると共に、端面から段１１５ａ乃至１１５ｃまでの芯線２１４ａ乃至２１４ｃの挿通方向に沿った長さが異なる円錐台形状の突起１１１Ｂａ乃至１１１Ｂｃを備えている。また、接続ケーブル２０１Ｂａ乃至２０１Ｂｃは夫々同相の突起１１１Ｂａ乃至１１１Ｂｃと嵌合するような円錐面の傾きを有すると共に、接続ケーブル２０１Ｂａ乃至２０１Ｂｃ側の端部から段２１５ａ乃至２１５ｃまでの夫々の距離が異なる円錐台形状の窪み２１１Ｂａ乃至２１１Ｂｃを備えている。このため、接続ブッシング１０１Ｂａ乃至１０１Ｂｃに対して異なる相の接続ケーブル２０１Ｂａ乃至２０１Ｂｃを接続することが不可能となっている。
【００６６】
更に、突起１１１Ｂａ乃至１１１Ｂｃは夫々、側壁１０３Ｂ側よりも突出した先端側の直径の方が短い円錐台形状を呈している。このため、突起１１１Ｂａ乃至１１１Ｂｃを窪み２１１Ｂａ乃至２１１Ｂｃに夫々挿入して、接続ブッシング１０１Ｂａ乃至１０１Ｂｃと接続ケーブル２０１Ｂａ乃至２０１Ｂｃとを夫々接続する作業を容易にできる。これは、第３の実施形態にかかる接続ブッシング１０２ａ乃至１０２ｃと接続ケーブル２０２ａ乃至２０２ｃとの接続部分及びバイパスブッシング１０４ａ乃至１０４ｃとバイパスケーブル２０３ａ乃至２０３ｃとの接続部分における構成（不図示）についても同様である。
【００６７】
つまり、工事用開閉器１００Ｂでは、ブッシングとケーブルとを接続する作業性を低下させることなく、異なる相同士のブッシング及びケーブルが誤接続されることをより容易且つ確実に防止できる。
【００６８】
<<<その他の実施形態>>>
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００６９】
前述した第１乃至第３の実施形態では、接続装置を工事用開閉器１００、１００Ａ、１００Ｂとして説明したが、特にこれに限定されるものではない。例えば接続装置は、複数相の架空電線の同相同士を電気的に接続するものであれば、前述したようにブッシングとケーブルとを接続する作業性を低下させることなく、異なる相同士のブッシング及びケーブルが誤接続されることを容易に防止できる
また、前述した第１の実施形態では、突起１１１ａ乃至１１１ｃ及び窪み２１１ａ乃至２１１ｃを、夫々芯線２１４ａ乃至２１４ｃの挿通方向に対する側面の傾きが相ごとに異なる円錐台形状であることとした。また、前述した第２の実施形態では、更に突起１１１ａ乃至１１１Ａｃ及び窪み２１１ａ乃至２１１Ａｃを、夫々芯線２１４ａ乃至２１４ｃの挿通方向に沿った長さが相ごとに異なる円錐台形状であることとした。また、前述した第３の実施形態では、突起１１１Ｂａ乃至１１１Ｂｃ及び窪み２１１Ｂａ乃至２１１Ｂｃを、段１１５ａ乃至１１５ｃ、２１５ａ乃至２１５ｃを備える円錐台形状とした。
【００７０】
しかし、特にこれらに限定されるものではない。突起及び窪みは、相ごとに異なる形状を呈し、ブッシングに対して異なる相のケーブルが接続された状態では、複数相全てのブッシング及びケーブルを互いに接続することが不可能な形状であればよい。更に、突起１１１ａ乃至１１１ｃ及び窪み２１１ａ乃至２１１ｃは夫々、ブッシングとケーブルとの接続作業を容易にするために円錐台形状としたが、これに限られるものではなく、例えば相ごとに異なる円柱形状としてもよい。
【００７１】
また、前述した工事用開閉器１００では、例えば接続ブッシング１０１ａ乃至１０１ｃが夫々、相ごとに異なる円錐台形状を呈する突起１１１ａ乃至１１１ｃを備えていることとした。また、接続ケーブル２０１ａ乃至２０１ｃが夫々、突起１１１ａ乃至１１１ｃと嵌合する円錐台形状の窪み２１１ａ乃至２１１ｃを有するコネクタ２１０ａ乃至２１０ｃ備えていることとした。しかし、特にこれに限られるものではない。
【００７２】
例えば、接続ブッシング１０１ａ乃至１０１ｃは互いに同様の形状を呈し、夫々アダプタが取り付けられることで、相ごとに異なる円錐台形状の突起を備えてもよい。また、接続ケーブル２０１ａ乃至２０１ｃは、アダプタが取り付けられることで円錐台形状の窪みを有するコネクタを備えてもよい。この場合、接続ブッシングに取り付けられたアダプタの突起と嵌合する相ごとに異なる窪みを有するアダプタは、コネクタの一部として接続ブッシングに対して接続される。
【００７３】
また、接続ブッシングにのみ又はコネクタにのみアダプタが取り付けられてもよい。尚、接続ブッシング１０２ａ乃至１０２ｃと接続ケーブル２０２ａ乃至２０２ｃとの接続及びバイパスブッシング１０４ａ乃至１０４ｃとバイパスケーブル２０３ａ乃至２０３ｃとの接続についても同様である。また、工事用開閉器１００Ａ、１００Ｂについても同様である。これによって、既存の接続装置を変更することなく、簡易な構成で容易にブッシングとケーブルとの誤接続を防止することができる。
【符号の説明】
【００７４】
１００…工事用開閉器、１０１ａ，１０１ｂ，１０１ｃ，１０２ａ，１０２ｂ，１０２ｃ…接続ブッシング、１０３…開閉器ケース、１０３Ａ，１０３Ｂ…側壁、１０４ａ，１０４ｂ，１０４ｃ…バイパスブッシング、１１０ａ，１１０ｂ，１１０ｃ…挿入環状片、１１１ａ，１１１ｂ，１１１ｃ，１１１Ａｂ，１１１Ａｃ，１１１Ｂａ，１１１Ｂｂ，１１１Ｂｃ…突起、１１２ａ，１１２ｂ，１１２ｃ…導電棒、１１３ａ，１１３ｂ，１１３ｃ…中心孔、１１４ａ，１１４ｂ，１１４ｃ…ソケット、１１５ａ，１１５ｂ，１１５ｃ，２１５ａ，２１５ｂ，２１５ｃ…段、１１６ａＡ，１１６ａＢ，１１６ｂＡ，１１６ｂＢ，１１６ｃＡ，１１６ｃＢ，２１３ａＡ，２１３ａＢ，２１３ｂＡ，２１３ｂＢ，２１３ｃＡ，２１３ｃＢ…円錐台形状、２０１ａ，２０１ｂ，２０１ｃ，２０１Ａｂ，２０１Ａｃ，２０１Ｂａ，２０１Ｂｂ，２０１Ｂｃ，２０２ａ，２０２ｂ，２０２ｃ…接続ケーブル、２０３ａ，２０３ｂ，２０３ｃ…バイパスケーブル、２１０ａ，２１０ｂ，２１０ｃ，２１０Ａｂ，２１０Ａｃ，２１０Ｂａ，２１０Ｂｂ，２１０Ｂｃ…コネクタ、２１１ａ，２１１ｂ，２１１ｃ，２１１Ａｂ，２１１Ａｃ，２１１Ｂａ，２１１Ｂｂ，２１１Ｂｃ…窪み、２１２ａ，２１２ｂ，２１２ｃ…挿入溝、２１４ａ，２１４ｂ，２１４ｃ…芯線、３００…電柱、３０１ａ，３０１ｂ，３０１ｃ…架空電線
【図１】
2012019630.tif 000003
【図２】
2012019630.tif 000004
【図３】
2012019630.tif 000005
【図４】
2012019630.tif 000006
【図５】
2012019630.tif 000007
【図６】
2012019630.tif 000008
【図７】
2012019630.tif 000009
【図８】
2012019630.tif 000010
【図９】
2012019630.tif 000011
【図１０】
2012019630.tif 000012
【図１１】
2012019630.tif 000013
【図１２】
2012019630.tif 000014